(57)【特許請求の範囲】
【請求項１】
竿先側にリールシートを装着するとともに、前記リールシートより竿尻側において元竿に腕置き具を外篏装着し、前記腕置き具の円周方向複数箇所に、前記元竿に装着した状態で、前記元竿の外周面より径方向外側に位置し、かつ、竿軸芯側に凹入する形状を呈する腕置き面を形成し、各腕置き面の間に前記腕置き具の軸芯に近い基端部の幅が先端部の幅より大きな隔壁部を形成し、前記隔壁部によって隔てられた各腕置き面における前記凹入する形状を、同一形状に設定してある釣り竿。
【請求項２】
前記腕置き具の軸芯から前記各隔壁部の外周縁までの半径を同一半径に設定してある請求項１記載の釣り竿。
【発明の詳細な説明】
【技術分野】
【０００１】
本発明は、リールシート等を握った手を支える腕や肘等を載置する腕置き具を備えている釣り竿に関する。
【背景技術】
【０００２】
リールシート装着部より竿尻側に竿体の外周面から左右一対の棒状体を立設して腕置き具を形成し、釣り操作を行う際に、リールシート付近を指で把持しながら腕置き具の腕置き面に腕・肘部分を載置する構成のものがあった（特許文献１参照）。
【０００３】
【特許文献１】特開２００１−１９７８５０号公報（段落番号〔０００３〕、〔００１４〕、〔００１５〕及び、図２〜図４、図７）
【発明の開示】
【発明が解決しようとする課題】
【０００４】
特許文献１の図７に示すように腕置き具を備えていない場合には、リールシート面と肘を載置する元竿の外周面との高さが殆ど変わらない為に、リールシートを握っている手の手首部分が、折れ曲り姿勢に強いられて窮屈な姿勢になっている。
このような点を考慮して、特許文献１においては、図１〜図３に示すように、腕置き具として、二本の腕置き杆を元竿の外周面より立設して、手首に掛かる負担を軽減する構成を採っていた。
上記構成の場合には、二本の腕置き杆に架け渡す状態で、腕及び肘部分を載置するので、二本の腕置き杆が腕や肘部分の局部に当接するので、腕や肘部分に負荷が作用し、長時間に亘る釣りを行うのが辛い状況にあった。
【０００５】
本発明の目的は、手首に対する負担を軽減しながら、腕や肘への傷みが少なく、長時間に亘る釣にも、十分対応できる釣り竿を提供する点にある。
【課題を解決するための手段】
【０００６】
〔構成〕
請求項１に係る発明の特徴構成は、竿先側にリールシートを装着するとともに、前記リールシートより竿尻側において元竿に腕置き具を外篏装着し、前記腕置き具の円周方向複数箇所に、前記元竿に装着した状態で、前記元竿の外周面より径方向外側に位置し、かつ、竿軸芯側に凹入する形状を呈する腕置き面を形成し、各腕置き面の間に前記腕置き具の軸芯に近い基端部の幅が先端部の幅より大きな隔壁部を形成し、前記隔壁部によって隔てられた各腕置き面における前記凹入する形状を、同一形状に設定してある
点にあり、その作用効果は次の通りである。
【０００７】
〔作用〕
元竿に腕置き具を装着した状態で、腕置き面が元竿の外周面より径方向外側に位置すべく構成してあるので、釣り操作を行う際に、リールシート付近を指で把持しながら腕置き具の腕置き面に腕・肘部分を載置する状態で、手首の部分が折れ曲る度合いが小さく、手首への負担が軽減する。
そして、腕及び肘等を載置する部分を面として形成した。これによって、腕や肘が局部的ではなく全面的に腕置き面に支持されるので、傷みを感ずることが少ない。しかも、腕置き面が凹入形状に形成してあるので、腕及び肘等の載置状態が安定する。
【０００８】
〔効果〕
腕置き具として面で腕等を支持する腕置き面を備えたものを導入したので、腕肘への傷みを軽減し、かつ、凹入形状にしてあるので載置状態が安定し、長時間に亘る釣操作を快適に行えるようになった。
【０００９】
〔構成〕
請求項２に係る発明の特徴構成は、前記腕置き具の軸芯から前記各隔壁部の外周縁までの半径を同一半径に設定してある点にある。
【００１０】
〔作用効果〕
つまり、隔壁部を介して複数箇所の腕置き面が形成してあるので、一箇所の腕置き面が損傷等しても、他の箇所に位置する腕置き面を所定位置に付け替えることによって、同一腕置き具を使用可能である。
また、各隔壁部の外周縁径を同一径に設定してあるので、船縁に形成されている竿立て用の穴に腕置き具を挿入させて立て掛ける際に、各隔壁部が竿立て用の穴の内周面に当接して、竿の立て掛け姿勢が安定する。
【発明を実施するための最良の形態】
【００１１】
〔第1実施形態〕
船竿等に使用される釣り竿の元竿Ａについて説明する。図１に示すように、竿体１の外周面に筒状のリールシート２を装着し、固定フード２Ａと可動フード２ＢとでスピニングリールＳの脚部Ｓａを取り付け固定するとともに、リールシート２の竿尻側の握り部４に後記する腕置き具３を装着し、竿尻端に尻栓５を設けて、元竿Ａを構成してある。
【００１２】
腕置き具３について説明する。図１及び図２に示すように、腕置き具３は、元竿Ａを握る釣り人の腕部分ｕを支持する機能を担っている。つまり、図１に示すように、腕置き具３は、元竿Ａのリールシート２の竿尻端側に装着してあり、外周面に４個の腕置き面３Ａを形成してある。
【００１３】
図１及び図２に示すように、腕置き面３Ａは、竿軸芯側に向けて凹入する形状に形成してあり、竿軸芯に沿った一定長さＬと周方向に沿った一定幅Ｗを有している。そして、腕置き面３Ａは、一定幅Ｗにおいて幅Ｗの中間位置ほど竿軸芯に近接する円弧面形状を呈している。円弧面形状は軸線方向において同一である。腕置き面３Ａにおける最も凹入した部分３ａは、元竿Ａの外周面より径方向の外方に位置することとなる。
以上のような構成によって、腕置き面３Ａに腕ｕ及び肘ｈを載置した場合に、手首ｔが大きく折れ曲ることはなく、かつ、その腕置き面３Ａが幅方向の中心側ほど凹入する形状にあるので、腕ｕ及び肘ｈを安定して載置できる。
【００１４】
図１〜図３に示すように、各腕置き面３Ａの間には隔壁部３Ｂが設けてあり、隔壁部３Ｂの断面形状としては、元竿Ａに近い基端部ほど広幅Ｄであり、径方向先端側ほど細い幅ｄに形成してあり、隔壁部３Ｂの先端部３ｂの形状は、腕置き具３の軸芯位置を中心とした円弧面に形成してある。したがって、隔壁部３Ｂの先端部３ｂの表面形状は、元竿Ａの軸芯位置を中心とした同一円弧状にある。
したがって、図４に示すように、船縁Ｃの竿受用の穴Ｃａに腕置き具３を挿入すると、釣り竿を縦姿勢で保持できる。この場合に隔壁部３Ｂの先端部３ｂが穴Ｃａの内周面に弾性変形可能な状態で嵌入保持されているので、船の振動等を受けてもガタツクことがなく、安定した保持状態を得ることができる。
【００１５】
腕置き具３の材料としては、ＥＶＡやＮＢＲ等の弾性体が使用される。そして、４つの腕置き面３Ａに対応して四分割された型によって、腕置き具３は型成形される。
【００１６】
〔第２実施形態〕
図５に示すように、腕置き面３Ａとしては、円周方向３箇所に形成してもよい。
この場合には、腕置き具３として同一外径のものであっても、腕置き面３Ａの円周幅Ｗを大きく採ることができ、釣り人の腕の太さ等に種々対応可能性を高めることができる。
ただし、隔壁部３Ｂの先端部３ｂの形状は、第１実施形態と同様である。
【００１７】
〔第３実施形態〕
ここでは、図６に示すように、１８０°対角位置に腕置き面３Ａを形成した状態を示す。腕置き面３Ａ同士の間に位置する隔壁部３Ｂとしては、第１,第２実施形態のものに比べて広幅のものに構成でき、腕置き具３として、機械的強度の高いものを形成できる。
【００１８】
〔第４実施形態〕
ここでは、腕置き面３Ａにおける最も凹入した部分３ａの竿軸線方向に沿った形状について説明する。図７に示すように、凹入した部分３ａは、軸線方向に沿って徐々に軸線から径方向に離れるように形成されている。このように、凹入した部分３ａは一端から他端に掛けて傾斜した状態にあるので、手首から後方に延出された腕を手首に負担を掛けない状態で載置することができる。
【００１９】
〔別実施形態〕
（１）  図１では、腕置き具３の竿先側及び竿尻側に握り部４が設けてあるが、握り部４は特に設ける必要はない。
（２）  リールシート２の取付位置は、特に、元竿Ａでなくてもよい。
（３）  上記実施形態においては、腕置き具３を元竿Ａに取り付けるに、接着剤を使用して行っているが、適当な締結具を使用すれば、接着剤で固定する必要はない。このように締結具を使用すれば、既存の元竿等にこの腕置き具３を装着することが可能である。
【図面の簡単な説明】
【００２０】
【図１】腕置き具を装着した元竿を示す側面図
【図２】元竿に装着した腕置き具を示す縦断正面図
【図３】腕置き具を示す斜視図
【図４】（イ）釣り竿を船縁の竿受け穴内に収納した状態を示す縦断側面図、（ロ）釣り竿を船縁の竿受け穴内に収納した状態を示す横断平面図
【図５】腕置き面を３個形成した腕置き具の別実施構造を示す斜視図
【図６】腕置き面を２個形成した腕置き具の別実施構造を示す斜視図
【図７】腕置き面を傾斜姿勢に形成した腕置き具を元竿に取付た状態を示す縦断側面図
【符号の説明】
【００２１】
２                リールシート
３                腕置き具
３Ａ              腕置き面
３Ｂ 隔壁部
Ａ                元竿
【図１】
0005142256.tif 000002
【図２】
0005142256.tif 000003
【図３】
0005142256.tif 000004
【図４】
0005142256.tif 000005
【図５】
0005142256.tif 000006
【図６】
0005142256.tif 000007
【図７】
0005142256.tif 000008